(57)【要約】    【課題】    ゴミを収容して封をした状態で圧縮されたときに破裂することを防止すると共に、犬、猫、カラス等の動物を近づかないようにしたゴミ袋を提供すること。    【解決手段】通気孔１３を有する袋材１１からなり、袋材１１に動物撃退手段１４を設けたことを特徴とするゴミ袋１０である。  【選択図】図１
2005170553.tif 000002
【特許請求の範囲】
【請求項１】
通気孔を有する袋材からなり、前記袋材に動物撃退手段を設けたことを特徴とするゴミ袋。
【請求項２】
通気孔を袋材の開口部近傍に設けたことを特徴とする請求項１記載のゴミ袋。
【請求項３】
袋材が不透液性通気性微多孔フィルムよりなることを特徴とする請求項１記載のゴミ袋。
【請求項４】
動物撃退手段が袋材中に含有する動物忌避剤であることを特徴とする請求項１から３のいずれかに記載のゴミ袋。
【請求項５】
動物撃退手段が袋材表面に付着する動物忌避剤であることを特徴とする請求項１から４のいずれかに記載のゴミ袋。
【請求項６】
動物撃退手段が袋材表面に設けた動物撃退用ホログラムであることを特徴とする請求項１から５のいずれかに記載のゴミ袋。
【発明の詳細な説明】
【技術分野】
【０００１】
本発明はゴミを収容するゴミ袋に関するものであり、特に、ゴミ収集車の積込み装置で圧縮される際に破裂することを防止して、破裂音が発生したり、ゴミや汚水が飛び散らないようにすると共に、犬、猫、カラス等の動物を近づかないようにしたゴミ袋に関するものである。
【背景技術】
【０００２】
一般家庭や飲食店、事業所等から排出されるゴミは、ゴミ袋に収容されて地域毎に指定されたゴミ収集場に集められから、車体の後部に図４に示すような積込み装置を備えたバッカー車と呼ばれる機械式収集車によって収集されている。このバッカー車にゴミ袋を積み込み際には、ゴミ袋は積込み装置のプレスプレートで圧縮して嵩を減らしてから積込み装置内へと送られる。
【０００３】
一般家庭等で通常使用されるゴミ袋は、ポリエステル等の合成樹脂からなるフィルム材で形成されており、ゴミを収容した後は、収容したゴミが外に出ないよう開口部を結んだり、紐やテープ等で縛る等して封をして使用されている。しかしながら、合成樹脂製のゴミ袋は一般に通気性を有さないため、封をしてしまうとゴミ袋の内部は密閉された状態となる。このため、封がされたゴミ袋をバッカー車のプレスプレートで圧縮すると、ゴミ袋内部の空気が外に排出されないため、最後にはゴミ袋が破裂してしまい、これにより大きな破裂音が生じたり、内部のゴミや汚水が周囲に飛び散る等して、周囲の住民に不快感を与えるとともに、ゴミ収集場所周辺の衛生状態を悪くしていた。
【０００４】
こうした事情を鑑みて、従来においても封をした状態で内部の空気を脱気できるようにしたゴミ袋が提案されており、例えば、合成樹脂シート等の非通気性材料により四角形の袋体に形成され、その一方の辺を開口部とし、この開口部と対向する他方の辺側に、その辺に沿う融着欠落部を、互いに間隔をおいて複数段設けるとともに、各段の融着欠落部が、互いに長さ方向において食い違いに設けたゴミ袋が公知である（特許文献１参照）。
【０００５】
しかしながら、上記のゴミ袋は内部の空気の脱気が可能となる反面、構成が複雑であるため作製に手間とコストがかかっていた。また、生ゴミ等の水分を含んだゴミを収容した場合には、融着欠落部から水が流れ出てしまうという問題もあった。
【０００６】
一方、ゴミを収容したゴミ袋をゴミ収集場所に置いておくと、野良犬や野良猫、カラスといった動物がゴミ袋を破ってゴミを散らかして、周辺環境が不衛生になるばかりでなく、ゴミを収集した後の収集場所の清掃作業を繁雑にしていた。
【特許文献１】特開平１１−１８０４２０号公報
【発明の開示】
【発明が解決しようとする課題】
【０００７】
そこで、本発明は、上述したような従来のゴミ袋における問題を解決すべくなされたものであり、ゴミを収容して封をした状態で圧縮されたときに破裂することを防止すると共に、犬、猫、カラス等の動物を近づかないようにしたゴミ袋を提供することを課題とするものである。
【課題を解決するための手段】
【０００８】
上記課題を解決するために、まず請求項１に記載の発明が採った手段は、通気孔１３を有する袋材１１からなり、袋材１１に動物撃退手段１４を設けたことを特徴とするゴミ袋１０である。
【０００９】
通気孔１３を備える袋材１１よりゴミ袋１０を形成することにより、ゴミを収容して封をした状態でゴミ袋１０を圧縮しても、内部の空気が通気孔１３を通って外部に排出されるようになるので、ゴミ袋１０が破裂することを防止できる。
【００１０】
また、動物撃退手段１４を備えることにより、犬、猫、カラス等の動物を威嚇してゴミ袋１０に近づくことを阻止することができる。
【００１１】
また、請求項２に記載の発明が採った手段は、通気孔１３が、袋材１１の開口部１２の近傍に存在するよう設けたことを特徴とする請求項１記載のゴミ袋１０である。開口部１２の近傍に通気孔１３を複数形成することで、通常の使用状態でゴミ袋１０内部の底に溜まった汚水等が通気孔１３を通って外部に漏れることを防止することができる。
【００１２】
また、請求項３に記載の発明が採った手段は、袋材１１が不透液性通気性微多孔フィルムよりなることを特徴とするゴミ袋１０である。袋材１１を不透液性通気性微多孔フィルムによって構成することにより、ゴミ袋１０を圧縮したときに、ゴミ袋１０内の空気のみが袋材１１を通過できるようになる。
【００１３】
また、請求項４に記載の発明が採った手段は、動物撃退手段が袋材１１中に含有する動物忌避剤であることを特徴とするゴミ袋１０である。袋材１１中に動物撃退手段として動物忌避剤を含有することで、ゴミ袋１０に動物が嫌がる臭いや味を持たせることができるので、動物がゴミ袋１０の中のゴミを漁ろうとしてゴミ袋１０を近づいたり食い破ったりしたときに、動物の嗅覚及び味覚を刺激して、犬、猫、カラス等の動物がゴミ袋１０に近づかないようになる。
【００１４】
また、請求項５に記載の発明が採った手段は、動物撃退手段が袋材１１の表面に付着する動物忌避剤であることを特徴とするゴミ袋１０である。袋材１１の表面に動物撃退手段として動物忌避剤を付着させることで、動物がゴミ袋１０の中のゴミを漁ろうとしてゴミ袋１０に近づいたり食い破ったりしたときに、動物忌避剤が動物の嗅覚及び味覚を刺激するとともに、動物の嫌がる味や臭いが動物の口や身体に付着するので、動物がこれを嫌がってゴミ袋１０に近づかないようになる。
【００１５】
また、請求項６に記載の発明が採った手段は、動物撃退手段１４が袋材１１の表面に設けた動物撃退用のホログラム１４であることを特徴とするゴミ袋１０である。袋材１１の表面にホログラム１４を設けたことで、犬、猫、カラス等の動物を視覚的に威嚇することができるようになる。
【発明の効果】
【００１６】
請求項１記載のゴミ袋によれば、通気孔を有する袋材より形成したことにより、ゴミ収集車の積込み装置で圧縮される際に、ゴミ袋内部の空気が通気孔を通って外部に排出されることとなるので、ゴミ袋が破裂することが無くなって、破裂音の発生や、ゴミや汚水が飛び散ることを防止することができる。また、動物撃退手段を備えたことにより、動物がゴミ袋を漁ることがなくなる。
【００１７】
請求項２記載のゴミ袋によれば、請求項１記載のゴミ袋の効果に加えて、通気孔を袋材の開口部の近傍に設けたことにより、ゴミを収容した状態でゴミ袋を斜めに傾けても、ゴミ袋内部に溜まった汚水等が通気孔を通って外に漏れ出すことがないので、取り扱いに気を遣うことがない。
【００１８】
請求項３記載のゴミ袋によれば、請求項１又は２記載のゴミ袋の効果に加えて、袋材を不透液性通気性微多孔フィルムより形成したことにより、ゴミ袋が圧縮されたときに、ゴミ袋内の水分を保持したまま、空気のみが袋材を通過して外部に排出されるようになるので、通気孔と相俟ってゴミ袋内の空気の排出をより効率良く行うことができる。
【００１９】
請求項４記載のゴミ袋によれば、請求項１から３のいずれかに記載のゴミ袋の効果に加えて、袋材中に動物撃退手段として動物忌避剤を含有することにより、動物がゴミ袋の中のゴミを漁ろうとしてゴミ袋を近づいたり食い破ったりしたときに、動物の嗅覚及び味覚が動物忌避剤により刺激されるので、動物が動物忌避剤の機能を学習してゴミ袋を漁って周囲にゴミを散らかすことがなくなる。
【００２０】
請求項５記載のゴミ袋によれば、請求項１から４のいずれかに記載のゴミ袋の効果に加えて、袋材の表面に動物撃退手段として動物忌避剤を付着させたことで、動物がゴミ袋の中のゴミを漁ろうとしてゴミ袋に近づいたり食い破ったりしたときに、動物忌避剤が動物の口や身体に付着して、動物の嗅覚及び味覚を強く刺激するので、動物が動物忌避剤の機能を学習してゴミ袋を漁って周囲にゴミを散らかすことがなくなる。
【００２１】
請求項６記載のゴミ袋によれば、請求項１から５のいずれかに記載のゴミ袋の効果に加えて、袋材の表面に動物撃退手段としてホログラムを設けたより、犬、猫、カラス等の動物を視覚的に威嚇して、ゴミ袋に近づかなくなるので、動物がゴミ袋を漁って、周囲にゴミを散らかすことがなくなる。また、ホログラムは、見る位置や角度によって、反射光の色も複雑に変化して複雑な反射光を出すことができるので、動物が馴れることなく、長期にわたって撃退することが可能となる。
【発明を実施するための最良の形態】
【００２２】
本発明に係るゴミ袋は、通気孔を備えた袋材より構成されるとともに、この袋材に動物撃退手段を設けたものである。
【００２３】
袋材は、従来よりゴミ袋一般に用いられているものを使用することができ、例えば、ポリエチレンやポリプロピレンなどのポリオレフィン系樹脂からなるフィルム材から作成されたものを用いることができる。中でも、液体を通さずに気体のみを通すことができる不透液通気性微多孔フィルムからなる袋材を用いるとよい。
【００２４】
不透液性通気性微多孔フィルムは、従来より衛生用品用素材や食品包装材料、ハウスラップ材等に使用されるものを用いることができ、例えば、ポリエチレンやポリプロピレンなどのポリオレフィン系樹脂に無機充填剤を混合し、Ｔダイ法、インフレーション成形法等によってシートに成形後、一軸または二軸方向に延伸して、充填剤とポリオレフィン樹脂との間に界面剥離を生じさせることによりフィルム中に微細な空孔を発生させて作製されるもの、あるいは、熱気化性の充填剤を樹脂接着剤中に充填しておきシート成形することで、シート化時の熱で充填剤が気化し、消失した充填剤のあとが微孔としてシート中に無数に存在するようにしたもの等が挙げられる。
【００２５】
また、袋材には、開口部を結んだり縛ったりして封がしやすいように柔軟性を有し、かつ容易に破れない程度の機械的強度を有するものを用いることが好ましい。
【００２６】
無孔の袋材を用いる場合には、製袋後に通気孔が設けられる。通気孔は、ゴミ袋を圧縮したときに、袋内部の空気の排出をより効率良く行えるようにするものであれば何でも良い。このため、通気孔は、例えばニ−ドルパンチ、コロナ放電、レ−ザ−加工などによって袋材に設けることができる。通気孔の数、大きさ及び形状は、特に限定されるものではないが、袋内部の空気の排気を効率良く行うことができ、かつ収容したゴミ等を保持しうる程度の大きさや数に形成すると良い。さらに、通気孔は、袋材の開口部の近傍に設けると良い。通気孔を開口部の近傍に設けることで、ゴミを収容した状態でゴミ袋が斜めに傾いてしまったような場合でも、ゴミ袋内部の底部に溜まった汚水等が通気孔を通って外に漏れ出すことがなくなるからである。
【００２７】
また、本発明のゴミ袋は、袋材に動物撃退手段を設けている。動物撃退手段の一形態として、例えば袋材中に動物忌避剤を含有させた形態を採ることができる。この形態の場合、袋材中に動物忌避剤を含有しているので、ゴミ袋から動物が嫌がる味や臭いが発せられ、動物をゴミ袋に近づかせないようにすることができる。
【００２８】
袋材に含有させる動物忌避剤としては特に限定されるものではなく、例えば従来より犬猫、鳩、カラス等に対して忌避効果が確認されている、ｄ−リモネン、カプリンアルデヒド、カプリルアルデヒド、シラトールなどの芳香成分を含む橙皮油、レモン油、ベルガモット油、ういきょう油、松葉油、ハッカ油、テレビン油、樟脳油等の精油や、酢酸、カラシまたはワサビの辛味成分、カプサイシン、安息香酸デナトニウムなどを挙げることができ、これらを単独で若しくは２以上組み合わせて用いることができる。
【００２９】
動物忌避剤は、袋材を形成する前の材料の段階で混練される。このとき、動物忌避剤は、袋材の材料中に直接混練してもよいし、動物忌避剤をマイクロカプセルに封入したり、デキストリンに包摂したものを混練してもよい。
【００３０】
動物撃退手段としての動物忌避剤は、袋材表面に付着させた形態を採ることもできる。動物忌避剤を表面に付着させることで、動物がゴミ袋の中のゴミを漁ろうとしてゴミ袋に近づいたり食い破ったりしたときに、動物忌避剤が動物の口や身体に付着して、動物の嗅覚及び味覚をより強く刺激することができる。表面に付着させる動物忌避剤は、袋剤の表側の面若しくは裏側の面または両面に付着させることができ、袋材に含有させるものと同様のものを直接塗布してもよいし、あるいは、マイクロカプセルに封入したり、デキストリンに包摂して付着させてもよい。
【００３１】
また、動物忌避剤の袋材表面への付着形態として、袋材表面にマークや商品名などを印刷するとき、印刷用インクの中に動物忌避剤を含ませておき、袋材表面にマークや商品名などを印刷すると同時に動物忌避剤を袋材表面に付着させたものを挙げることができる。この場合、袋材表面の印刷そのものが動物忌避機能を持つようになる。
【００３２】
また、別の動物撃退手段として、ゴミ袋に近寄ってくる動物を視覚的に威嚇して忌避するもの、具体的には袋材表面に表示した網目模様や目玉の絵等の動物が嫌う模様、図形又は絵などを挙げることができる。特に、動物撃退用ホログラムは、ゴミ袋に近寄ってくる動物を視覚的に威嚇して忌避する効果に優れている。
【００３３】
ホログラムとは、記録対象物に対して物体光と参照光を照射し、２つの光を重ねて記録材料に記録し、現像処理したものである。記録材料には、物体光と参照光により１ｍｍ幅に１０００〜７０００本もの干渉縞が形成されており、これに物体から伝搬される光が凍結して記録されるため、再生光を照射すると物体を立体的に見ることができる。  更に、ホログラムは見る位置を動すとその方向から見た３次元像が見えるという特徴も持っている。従って、ホログラムを設けると、見る位置や角度によって、反射光の色も複雑に変化して複雑な反射光を出すことができるので、動物が馴れることなく、長期にわたって撃退することができる。
【００３４】
ホログラムは、袋材表面に直接印刷により設けてもよいし、別途ホログラムシートを作製して、これを袋材表面に設けてもよい。使用するホログラムの種類としては、マスターホログラム 、リップマンホログラム 、レインボーホログラムなど多くあるが、特に限定されるものではなく、適宜選択して使用すればよい。
【００３５】
尚、本発明のゴミ袋の形態として、袋材中およびまたは袋材表面に動物撃退手段としての動物忌避剤を含有およびまたは付着させた袋材に、ゴミ袋に近寄ってくる動物を視覚的に威嚇して忌避する動物撃退手段を合わせて設けることもできる。この場合、動物撃退効果をより高めることができる。
【００３６】
以下、本発明の実施例を図に基づいて説明する。
【実施例】
【００３７】
図１には、本実施例に係るゴミ袋１０が示されており、図２には、本実施例に係るゴミ袋１０の使用状態が示されている。また、図３には、ゴミを収容したゴミ袋１０をバッカー車にてプレスした状態が示されている。
【００３８】
図１に示すように、ゴミ袋１０は、不透液性通気性微多孔フィルムよりなる袋材１１から形成されている。袋剤１１は、ポリエチレンに、無機充填剤と動物忌避剤としてのレモン油及びカプサイシンとを混合して、筒状のフィルムに成形した後に延伸処理をして作製されたものであり、液体を透過させずに空気のみを透過させる性質を有している。そして、袋材１１の開口部１２のやや下方位置には、複数の通気孔１３がニードルパンチによって形成されている。そして、この袋材表面には動物撃退手段としてレモン油とカプサイシンの混合液からなる動物忌避剤が塗布されている。
【００３９】
また、ゴミ袋１０の表面には、別の動物撃退手段としてホログラム１４が設けられている。このホログラム１４は、カラス等の鳥類に対して忌避効果があるとされる目玉模様に形成されており、袋材１１の表面に直接印刷されて設けられている。
【００４０】
本実施例に係るゴミ袋１０は、図２に示すように、一般のゴミ袋と同じく、ゴミを収容した後に開口部１２を結んで封をして使用される。そして、図３に示すように、バッカー車のプレスプレートで圧縮された場合には、ゴミ袋１０内部の空気が、通気孔１２と、ゴミ袋１０を構成する袋材１１に形成される微孔とを通って外部へと排出されるので、ゴミ袋が破裂して破裂音が生じたり、内部のゴミが飛び散ったりすることがない。
【００４１】
また、ゴミ収集場所にゴミ袋１０を置いたときには、カラス等の動物が表面に表示したホログラフ１４がカラス等の動物を威嚇して、動物がゴミ袋１０に近づくことを阻止できるようになる。また、ゴミ袋１０に破って内部のゴミを漁ろうとしたときには、袋材１１に含まれるとともに表面に塗布されたレモン油とカプサイシンの混合液からなる動物忌避剤が、動物の味覚や臭覚を強く刺激することとなる。これにより、動物忌避剤の機能を学習して、次第にゴミ袋に近づかないようになる。
【図面の簡単な説明】
【００４２】
【図１】本実施例に係るゴミ袋の斜視図である。
【図２】本実施例に係るゴミ袋の使用状態を示す斜視図である。
【図３】本実施例に係るゴミ袋がバッカー車で圧縮された状態を模式的に示した図である。
【図４】ゴミ袋をバッカー車で圧縮する状態を模式的に示した図である。
【符号の説明】
【００４３】
１０・・・ゴミ袋
１１・・・袋材
１２・・・開口部
１３・・・通気孔
１４・・・ホログラフ（動物撃退手段）
【図１】
2005170553.tif 000003
【図２】
2005170553.tif 000004
【図３】
2005170553.tif 000005
【図４】
2005170553.tif 000006